(57)【要約】【課題】簡易な構成により、デジタル信号の読み取りを行えるデジタル回路、通信装置、及び受信装置を提供すること。【解決手段】デジタル信号の入力を受け入れるＤＡ変換部２３と、デジタル信号の切替タイミングを示すトリガ信号を取得するクロック信号選択部２２と、互いに位相の異なる複数のクロック信号を生成するクロック信号生成部２１と、を含み、クロック信号選択部２２は、取得したトリガ信号に基づいて、クロック信号生成部２１により生成された複数のクロック信号のうちのいずれかを選択し、ＤＡ変換部２３は、クロック信号選択部２２により選択されたクロック信号に基づき、デジタル信号を読み取る、ことを特徴とする。【選択図】図１
2007274189.tif 000002
【特許請求の範囲】
【請求項１】
デジタル信号の入力を受け入れるデジタル信号入力受入手段と、
前記デジタル信号の切替タイミングを示すタイミング信号を取得するタイミング信号取得手段と、
互いに位相の異なる複数のクロック信号を生成するクロック信号生成手段と、
前記タイミング信号取得手段により取得されるタイミング信号に基づいて、前記クロック信号生成手段により生成された複数のクロック信号のうちのいずれかを選択する選択手段と、
前記選択手段により選択されたクロック信号に基づき、前記デジタル信号を読み取る読取手段と、
を含むことを特徴とするデジタル回路。
【請求項２】
デジタル信号を送信するデジタル信号送信手段と、
前記デジタル信号の切替タイミングを示すタイミング信号を送信するタイミング信号送信手段と、
を含む送信装置と、
前記送信装置により送信されたデジタル信号及びタイミング信号を受信する受信手段と、
互いに位相の異なる複数のクロック信号を生成するクロック信号生成手段と、
前記受信手段により受信されるタイミング信号に基づいて、前記クロック信号生成手段により生成された複数のクロック信号のうちのいずれかを選択する選択手段と、
前記選択手段により選択されたクロック信号に基づき、前記受信手段により受信されるデジタル信号を読み取る読取手段と、
を含む受信装置と、
を含むことを特徴とする通信装置。
【請求項３】
デジタル信号と、該デジタル信号の切替タイミングを示すタイミング信号と、を受信する受信手段と、
互いに位相の異なる複数のクロック信号を生成するクロック信号生成手段と、
前記受信手段により受信されるタイミング信号に基づいて、前記クロック信号生成手段により生成された複数のクロック信号のうちのいずれかを選択する選択手段と、
前記選択手段により選択されたクロック信号に基づき、前記受信手段により受信されるデジタル信号を読み取る読取手段と、
を含むことを特徴とする受信装置。
【発明の詳細な説明】
【技術分野】
【０００１】
本発明はデジタル回路、通信装置、及び受信装置に関し、特にデジタル信号の読み取り技術に関する。
【背景技術】
【０００２】
デジタル回路には、デジタル信号を読み取る処理を行うものがある。具体的な例としては、デジタルアナログ変換回路などが挙げられる。
【０００３】
通常、デジタル回路はクロック信号の供給を受けており、このクロック信号に基づいてデジタル信号を読み取る。具体的には、クロック信号の位相に基づくタイミングで読み取り処理を行う（例えば特許文献１）。
【特許文献１】特開平１１−４６１８２号公報
【発明の開示】
【発明が解決しようとする課題】
【０００４】
デジタル信号の読み取りを行うためには、該デジタル信号に同期したクロック信号が必要である。この同期が外れていると、クロック信号の立ち上がりタイミングと、デジタル信号の切替タイミング（例えば、電圧のハイ・ローにより１ビットのデータを表すデジタル信号においては、あるデータから次のデータへと切り替わるタイミング）と、が合ってしまい、正確な読み取りができなくなることがある。
【０００５】
この点、特許文献１に記載の技術では、クロック信号と、該クロック信号を反転させてなる反転クロック信号と、のそれぞれに基づいてデジタル信号を読み取る。そして、読み取り後にパリティチェックを行い、誤りがないと判定された方のデジタル信号を、読み取り結果として出力するようにしている。
【０００６】
しかしながら、特許文献１に記載の技術では、読み取り処理のための構成が二重に必要になり、また、パリティチェックを行うための構成が必要になってしまう。このため、回路構成が複雑になってしまうという問題があった。
【０００７】
従って、本発明の課題の一つは、簡易な構成により、デジタル信号の読み取りを行えるデジタル回路、通信装置、及び受信装置を提供することにある。
【課題を解決するための手段】
【０００８】
上記課題を解決するための本発明にかかるデジタル回路は、デジタル信号の入力を受け入れるデジタル信号入力受入手段と、前記デジタル信号の切替タイミングを示すタイミング信号を取得するタイミング信号取得手段と、互いに位相の異なる複数のクロック信号を生成するクロック生成手段と、前記タイミング信号取得手段により取得されるタイミング信号に基づいて、前記クロック生成手段により生成された複数のクロック信号のうちのいずれかを選択する選択手段と、前記選択手段により選択されたクロック信号に基づき、前記デジタル信号を読み取る読取手段と、を含むことを特徴とする。
【０００９】
これによれば、切替タイミングを示すタイミング信号に応じて複数のクロック信号のうちのひとつを選択しているので、簡易な構成により、デジタル信号の読み取りを行うことができる。
【００１０】
また、本発明にかかる通信装置は、デジタル信号を送信するデジタル信号送信手段と、前記デジタル信号の切替タイミングを示すタイミング信号を送信するタイミング信号送信手段と、を含む送信装置と、前記送信装置により送信されたデジタル信号及びタイミング信号を受信する受信手段と、互いに位相の異なる複数のクロック信号を生成するクロック生成手段と、前記受信手段により受信されるタイミング信号に基づいて、前記クロック生成手段により生成された複数のクロック信号のうちのいずれかを選択する選択手段と、前記選択手段により選択されたクロック信号に基づき、前記受信手段により受信されるデジタル信号を読み取る読取手段と、を含む受信装置と、を含むことを特徴とする。
【００１１】
これによれば、送信装置からデジタル信号とタイミング信号を送信することにより、受信装置は、自ら生成しているクロック信号に基づいて、デジタル信号の読み取りを行うことができる。
【００１２】
また、本発明にかかる受信装置は、デジタル信号と、該デジタル信号の切替タイミングを示すタイミング信号と、を受信する受信手段と、互いに位相の異なる複数のクロック信号を生成するクロック信号生成手段と、前記受信手段により受信されるタイミング信号に基づいて、前記クロック信号生成手段により生成された複数のクロック信号のうちのいずれかを選択する選択手段と、前記選択手段により選択されたクロック信号に基づき、前記受信手段により受信されるデジタル信号を読み取る読取手段と、を含むことを特徴とする。
【発明を実施するための最良の形態】
【００１３】
本発明の実施の形態について、図面を参照しながら説明する。
【００１４】
図１は、本実施の形態にかかる通信装置１のシステム構成を示す図である。同図に示すように、通信装置１は、内部的に、送信装置１０と、受信装置２０と、を備えている。
【００１５】
通信装置１は、例えば移動体通信装置で使用される移動局装置や基地局装置などの通信装置の内部で、通信データに基づいてアナログ信号を生成するために使用される。
【００１６】
送信装置１０は、デジタル信号を生成して送信する。受信装置２０は、送信装置１０が送信したデジタル信号を受信し、アナログ信号として出力する。
【００１７】
図１は、送信装置１０と受信装置２０の機能ブロックも示している。同図に示すように、送信装置１０はデジタル信号処理部１１を含んで構成される。また、受信装置２０は、クロック信号生成部２１、クロック信号選択部２２、ＤＡ変換部２３を含んで構成される。
【００１８】
デジタル信号処理部１１は、デジタル信号及びトリガ信号を生成する。以下、それぞれについて説明する。
【００１９】
デジタル信号処理部１１は、送信装置１０が生成しているクロック信号（不図示）に基づいて、デジタル信号を生成する。このデジタル信号は、データを所定の変調方式により変調してなるシンボルの列からなる信号である。この変調方式として、ここでは、１ビットの変調単位（“０”又は“１”）の値を電圧のロー又はハイで表す電圧変調方式を使用するが、データに応じて搬送波の位相や振幅を異ならせる変調方式（位相変調方式や振幅変調方式）などを使用することとしてもよい。
【００２０】
デジタル信号処理部１１は、また、デジタル信号の切替タイミングを示すトリガ信号（タイミング信号）を生成する。デジタル信号処理部１１は、送信装置１０が生成している上記クロック信号に基づいて、このトリガ信号を生成する。トリガ信号と切替タイミングとの関係の詳細については後述する。
【００２１】
送信装置１０は、こうして生成されたデジタル信号及びトリガ信号を、受信装置２０に対して送信する。
【００２２】
受信装置２０は、送信装置１０により送信されたデジタル信号及びタイミング信号を受信する。
【００２３】
図２は、受信装置２０で受信されるデジタル信号とトリガ信号の具体的な例を示している。なお同図では、横軸を時間軸としている。また、縦軸は、信号ごとに、電圧を示している。また、同図に示す各信号の左端は、デジタル信号の受信開始タイミングを示している。
【００２４】
図２に示すように、デジタル信号は、切替タイミングＸを有する。この切替タイミングＸは、デジタル信号処理部１１が上記変調単位を切り替えるための期間であり、変調単位間に所定時間必要である。
【００２５】
また、図２に示すように、トリガ信号はローからハイへの立ち上がりタイミングを１箇所有する電圧信号である。デジタル信号処理部１１は、この立ち上がりタイミングが、デジタル信号の送信開始後、一番初めに訪れる切替タイミングＸより所定時間前のタイミングとなるようにする。より具体的には、切替タイミングＸより、後述する発振器Ｏ２１０が発振するクロック信号の１周期分以上前のタイミングとなるようにする。
【００２６】
クロック信号生成部２１は、発振器Ｏ２１０と、インバータＩ２１０と、を含んで構成され、これらにより互いに位相の異なる複数のクロック信号を生成する。ここでは、第１クロック信号と第２クロック信号とを生成する。以下、それぞれについて説明する。
【００２７】
発振器Ｏ２１０は、クロック信号を発振する。このクロック信号は、アナログ信号の生成に使用可能な程度の精度を有する。クロック信号生成部２１は、このクロック信号をそのまま第１クロック信号として出力する。図２には、この第１クロック信号の例も示されている。同図に示すように、第１クロック信号は所定周期でハイとローを繰り返す電圧信号である。すなわち、ハイとなる周期と、ローとなる周期と、を交互に繰り返す。
【００２８】
インバータＩ２１０は、発振器Ｏ２１０が発振したクロック信号の位相を変更する。ここでは、ハイとローを反転させる。クロック信号生成部２１は、この反転されたクロック信号を第２クロック信号として出力する。図２には、この第２クロック信号の例も示されている。同図に示すように、第２クロック信号の波形は、クロック信号のハイとローを反転させたものとなっている。
【００２９】
図２に示す例では、第１クロック信号の立ち上がりタイミングＡは、切替タイミングＸと重なっている。一方、第２クロック信号の立ち上がりタイミングＢは、切替タイミングＸと重なっていない。
【００３０】
クロック信号選択部２２は、受信されたトリガ信号を取得し、該トリガ信号に基づいて、クロック信号生成部２１により生成された複数のクロック信号のうちのいずれかを選択し、出力する。以下、具体的に説明する。
【００３１】
クロック信号選択部２２は、フリップフロップＦ２２０、フリップフロップＦ２２１、スリーステートバッファＢ２２０、スリーステートバッファＢ２２１を含んで構成される。
【００３２】
フリップフロップＦ２２０及びフリップフロップＦ２２１は、いずれもＤ端子、Ｑ端子、ＣＫ端子、Ｒ端子を備えている。フリップフロップＦ２２０及びフリップフロップＦ２２１は、ＣＫ端子の入力がローからハイに変わるときにＤ端子の入力をＱ端子に出力する。また、Ｒ端子にハイが入力されると、Ｑ端子の出力をローとする。
【００３３】
フリップフロップＦ２２０のＤ端子にはトリガ信号、ＣＫ端子には第１クロック信号がそれぞれ入力される。また、フリップフロップＦ２２０のＲ端子にはフリップフロップＦ２２１のＱ端子が接続されている。同様に、フリップフロップＦ２２１のＤ端子にはトリガ信号、ＣＫ端子には第２クロック信号がそれぞれ入力される。また、フリップフロップＦ２２１のＲ端子にはフリップフロップＦ２２０のＱ端子が接続されている。
【００３４】
スリーステートバッファＢ２２０及びスリーステートバッファＢ２２１は、Ｄ＿ｉｎ端子、Ｄ＿ｏｕｔ端子、Ｃ＿ｉｎ端子を備えている。スリーステートバッファＢ２２０及びスリーステートバッファＢ２２１は、Ｃ＿ｉｎ端子の入力がハイであるとき、Ｄ＿ｉｎ端子の入力をＤ＿ｏｕｔ端子に出力する。また、Ｃ＿ｉｎ端子の入力がローであるとき、Ｄ＿ｏｕｔ端子をハイインピーダンス状態とすることにより、Ｄ＿ｏｕｔ端子を回路から切り離す。
【００３５】
以上説明したフリップフロップＦ２２０、フリップフロップＦ２２１、スリーステートバッファＢ２２０、スリーステートバッファＢ２２１の動作により、クロック信号生成部２１により生成された複数のクロック信号のうち、トリガ信号の入力後最も早い時期に立ち上がりタイミングが到来したクロック信号が選択され、クロック信号選択部２２の出力となる。こうして出力されたクロック信号は、ＤＡ変換部２３に入力される。図２の例では、第２クロック信号が選択され、ＤＡ変換部２３に入力される。
【００３６】
なお、上述のように、トリガ信号の立ち上がりタイミングは、切替タイミングＸの開始タイミングより、発振器Ｏ２１０が発振するクロック信号の１周期分以上前のタイミングとなるようにしているので、１つ目の切替タイミングＸが到来する前に、必ずいずれか１つのクロック信号が選択され、出力されるようになる。
【００３７】
ＤＡ変換部２３は、送信装置１０により送信されたデジタル信号の入力を受け入れる。そして、クロック信号選択部２２から出力されるクロック信号に基づき、受け入れたデジタル信号を読み取る。具体的には、クロック信号の立ち上がりタイミングで、デジタル信号の状態を読み取る。図２の例では、第２クロック信号の立ち上がりタイミングで、デジタル信号の状態を読み取ることになるので、ＤＡ変換部２３は、デジタル信号の状態を適切に読み取ることができる。ＤＡ変換部２３は、読み取り結果に基づいてアナログ信号を生成し、出力する。
【００３８】
以上説明したように、通信装置１によれば、デジタル信号の切替タイミングを示すトリガ信号に応じて複数のクロック信号のうちのひとつを選択しているので、簡易な構成により、デジタル信号の読み取りを行うことができる。
【００３９】
また、送信装置１０からデジタル信号とトリガ信号を送信することにより、受信装置２０は、自ら生成しているクロック信号に基づいて、デジタル信号の読み取りを行うことができる。
【００４０】
なお、本発明は上記実施の形態に限定されるものではない。例えば、上記実施の形態ではクロック信号生成部２１は互いに位相の異なる２種類のクロック信号（クロック信号と反転クロック信号）を生成しているが、より多くの種類の互いに位相の異なるクロック信号を生成することとしてもよい。例えば、１／４ずつ位相のずれた４種類のクロック信号を生成することとしてもよい。この場合、クロック信号選択部２２は、トリガ信号に基づいて、これら多数種類のクロック信号のうちのいずれかを選択するよう、適宜変更され得る。
【図面の簡単な説明】
【００４１】
【図１】本発明の実施の形態にかかる通信装置のシステム構成及び機能ブロックを示す図である。
【図２】本発明の実施の形態にかかるデジタル信号、トリガ信号、クロック信号を示す図である。
【符号の説明】
【００４２】
１  通信装置、１０  送信装置、１１  デジタル信号処理部、２０  受信装置、２１  クロック信号生成部、２２  クロック信号選択部、２３  ＤＡ変換部、Ｂ２２０，Ｂ２２１  スリーステートバッファ、Ｆ２２０，Ｆ２２１  フリップフロップ、Ｉ２１０  インバータ、Ｏ２１０  発振器。
【図１】
2007274189.tif 000003
【図２】
2007274189.tif 000004